(57)【特許請求の範囲】
【請求項１】
記憶媒体を接続可能な２つの記憶処理装置によってフェイルオーバシステムが構成される場合における、フェイルオーバシステムに関する情報を管理するフェイルオーバ情報管理装置であって、
ネットワークを介して、フェイルオーバシステムの構成として不適合であると定められた２つの記憶処理装置の組み合わせを識別可能な情報からなる不適合情報を、前記記憶処理装置から受信する不適合情報受信部と、
前記不適合情報を記憶する記憶部とを備えるフェイルオーバ情報管理装置。
【請求項２】
２つの記憶処理装置の間で実行されたフェイルオーバシステムの構成に関するベンチマークテストの結果の情報を受信するテスト結果受信部と、
前記テスト結果受信部により受信された前記ベンチマークテストの結果の情報に基づいて、前記ベンチマークテストの対象である２つの記憶処理装置の組み合わせがフェイルオーバシステムの構成として不適合であるか否かを判定する判定部と
を備え、
前記記憶部は、前記判定部により不適合であると判定された前記２つの記憶処理装置の組み合わせを識別可能な情報からなる前記不適合情報を記憶する請求項１に記載のフェイルオーバ情報管理装置。
【請求項３】
記憶媒体を接続可能であり、他の記憶処理装置とともにフェイルオーバシステムを構成する記憶処理装置であって、
前記他の記憶処理装置との間で、フェイルオーバシステムの構成に関するベンチマークテストを行うテスト処理部と、
前記テスト処理部によるテスト結果の情報を、フェイルオーバシステムに関する情報を管理するフェイルオーバ情報管理装置へ送信する送信部と
を備える記憶処理装置。
【請求項４】
記憶媒体を接続可能な２つの記憶処理装置によってフェイルオーバシステムが構成される場合における、フェイルオーバシステムに関する情報を管理するフェイルオーバ情報管理装置におけるフェイルオーバ制御方法であって、
前記フェイルオーバ情報管理装置に備えられる不適合情報受信部が、ネットワークを介して、フェイルオーバシステムの構成として不適合であると定められた２つの記憶処理装置の組み合わせを識別可能な情報からなる不適合情報を、前記記憶処理装置から受信するステップと、
前記フェイルオーバ情報管理装置に備えられる記憶部が、前記不適合情報を記憶するステップとを備えるフェイルオーバ制御方法。
【発明の詳細な説明】
【技術分野】
【０００１】
本発明は、記憶媒体を接続可能な２つの記憶処理装置によってフェイルオーバシステムが構成される場合における、フェイルオーバシステムに関する情報を管理するフェイルオーバ情報管理装置、フェイルオーバシステムを構成する記憶処理装置、及び、フェイルオーバ情報管理装置におけるフェイルオーバ制御方法に関する。
【背景技術】
【０００２】
従来より、システムの信頼性を向上させるために、フェイルオーバの構成が採用される場合がある。フェイルオーバの構成が採用されるシステム（フェイルオーバシステム）では、例えば、２つのサーバの一方がメイン機、他方をバックアップ機となる。通常は、メイン機のサーバが業務に関わる処理を行う。メイン機のサーバに障害が発生した場合、バックアップ機のサーバが業務に関する処理を引き継ぐ（例えば、特許文献１参照）。
【０００３】
また、近年、ＮＡＳ（Network Attached Storage）と称される記憶処理装置が普及しつつある。ＮＡＳは、複数のハードディスクを接続可能であり、当該ハードディスクに映像や音声等の様々なコンテンツデータを記憶させることができる。ＮＡＳは、端末装置からのコンテンツデータの要求を、ネットワークを介して受信すると、要求されたコンテンツデータを、ネットワークを介して端末装置へ送信する。端末装置では、受信されたコンテンツデータの再生が行われる。
【０００４】
このようなＮＡＳを用いたシステムにおいても、フェイルオーバを構成することが提案されている。２つのＮＡＳによってフェイルオーバシステムが構成される場合、一方のＮＡＳがメイン機となり、他方のＮＡＳがバックアップ機となる。上述と同様、通常は、メイン機のＮＡＳが業務に関わる処理を行い、メイン機のＮＡＳに障害が発生した場合、バックアップ機のＮＡＳが業務に関する処理を引き継ぐ。
【先行技術文献】
【特許文献】
【０００５】
【特許文献１】特開２０１０−１２８６４４号公報
【発明の概要】
【発明が解決しようとする課題】
【０００６】
上述した特許文献１に記載された技術では、バックアップ機に要求される最低限の性能に関する情報に基づいて、メイン機とバックアップ機とを組み合わせたフェイルオーバを実現する。
【０００７】
しかしながら、バックアップ機に要求される最低限の性能に関する情報は、メイン機の業務と１対１に対応付けられるものであり、メイン機そのものに対するバックアップ機の適否は不明である。このため、実際に２つの装置を組み合わせないと、フェイルオーバシステムが構成可能か否かを判断できない。
【０００８】
上記問題点に鑑み、本発明は、フェイルオーバシステムにおけるメイン機とバックアップ機との適合性を容易に判断可能としたフェイルオーバ情報管理装置、記憶処理装置及びフェイルオーバ制御方法を提供することを目的とする。
【課題を解決するための手段】
【０００９】
上述した課題を解決するために、本発明は以下のような特徴を有している。
【００１０】
本発明の特徴は、記憶媒体（ハードディスク３５１、ハードディスク３５２）を接続可能な２つの記憶処理装置（ＮＡＳ３０、ＮＡＳ４０、ＮＡＳ５０）によってフェイルオーバシステムが構成される場合における、フェイルオーバシステムに関する情報を管理するフェイルオーバ情報管理装置（管理サーバ１０）であって、フェイルオーバシステムの構成として不適合であると定められた２つの記憶処理装置の組み合わせを識別可能な情報からなる不適合情報を記憶する記憶部（記憶部１２０）を備えることを要旨とする。
【００１１】
このようなフェイルオーバ情報管理装置は、フェイルオーバシステムの構成として不適合である、換言すれば、メイン機とバックアップ機との組み合わせとして不適合であると定められた２つの記憶処理装置の組み合わせを識別可能な情報からなる不適合情報を記憶する。従って、記憶処理装置の販売等において、当該記憶処理装置に対して不適合である他の記憶処理装置の情報を提供すること等ができ、フェイルオーバシステムにおけるメイン機とバックアップ機との適合性を容易に判断可能となる。
【００１２】
本発明の特徴は、ネットワークを介して、前記記憶処理装置からの前記不適合情報を受信する不適合情報受信部（情報収集部１６３）を備えることを要旨とする。
【００１３】
本発明の特徴は、２つの記憶処理装置の間で実行されたフェイルオーバシステムの構成に関するベンチマークテストの結果の情報を受信するテスト結果受信部（情報収集部１６３）と、前記テスト結果受信部により受信された前記ベンチマークテストの結果の情報に基づいて、前記ベンチマークテストの対象である２つの記憶処理装置がフェイルオーバシステムの構成として不適合であるか否かを判定する判定部（不適合判定部１６４）とを備え、前記記憶部は、前記判定部により不適合であると判定された前記２つの記憶処理装置の組み合わせを識別可能な情報からなる前記不適合情報を記憶することを要旨とする。
【００１４】
本発明の特徴は、記憶媒体（ハードディスク３５１、ハードディスク３５２）を接続可能であり、他の記憶処理装置とともにフェイルオーバシステムを構成する記憶処理装置（ＮＡＳ３０、ＮＡＳ４０、ＮＡＳ５０）であって、前記他の記憶処理装置との間で、フェイルオーバシステムの構成に関するベンチマークテストを行うテスト処理部（ベンチマークテスト処理部３６２）と、前記テスト処理部によるテスト結果の情報を、フェイルオーバシステムに関する情報を管理するフェイルオーバ情報管理装置へ送信する送信部（テスト結果情報送信処理部３６３）と備えることを要旨とする。
【００１５】
本発明の特徴は、記憶媒体を接続可能な２つの記憶処理装置によってフェイルオーバシステムが構成される場合における、フェイルオーバシステムに関する情報を管理するフェイルオーバ情報管理装置におけるフェイルオーバ制御方法であって、フェイルオーバシステムの構成として不適合であると定められた２つの記憶処理装置の組み合わせを識別可能な情報からなる不適合情報を記憶するステップを備えることを要旨とする。
【発明の効果】
【００１６】
本発明によれば、フェイルオーバシステムにおけるメイン機とバックアップ機との適合性を容易に判断可能となる。
【図面の簡単な説明】
【００１７】
【図１】本発明の実施形態に係るフェイルオーバ管理システムの全体概略構成図である。
【図２】本発明の実施形態に係る管理サーバの構成図である。
【図３】本発明の実施形態に係る不適合情報の一例を示す図である。
【図４】本発明の実施形態に係るＮＡＳの構成図である。
【図５】本発明の実施形態に係るフェイルオーバシステムの動作を示すシーケンス図である。
【発明を実施するための形態】
【００１８】
次に、図面を参照して、本発明の実施形態を説明する。具体的には、フェイルオーバ管理システムの構成、管理サーバの構成、ＮＡＳの構成、フェイルオーバ管理システムの動作、作用・効果、その他の実施形態について説明する。以下の実施形態における図面の記載において、同一又は類似の部分には同一又は類似の符号を付している。
【００１９】
（１）フェイルオーバ管理システムの構成
図１は、フェイルオーバ管理システムの全体概略構成図である。図１に示すフェイルオーバ管理システムは、フェイルオーバ情報管理装置としての管理サーバ１０、記憶処理装置としてのＮＡＳ（Network Attached Storage）３０、ＮＡＳ４０及びＮＡＳ５０と、管理サーバ１０及びＮＡＳ３０乃至ＮＡＳ５０を接続する通信ネットワーク６０とにより構成される。
【００２０】
本実施形態のフェイルオーバ管理システムにおいて、ＮＡＳ３０乃至ＮＡＳ５０は、何れか１つがフェイルオーバシステムにおけるメイン機、他の何れか１つがフェイルオーバシステムにおけるバックアップ機となり得る。メイン機のＮＡＳとバックアップ機のＮＡＳとでは、設定及びデータの同期が図られる。通常は、メイン機のＮＡＳが業務に関わる処理を行い、メイン機のＮＡＳに障害が発生した場合、バックアップ機のＮＡＳが業務に関する処理を引き継ぐ。
【００２１】
（２）管理サーバの構成
図２は、管理サーバ１０の構成図である。図２に示す管理サーバ１０は、制御部１００、通信部１１０、記憶部１２０を含んで構成される。
【００２２】
制御部１００は、例えばＣＰＵによって構成され、管理サーバ１０が具備する各種機能を制御する。
【００２３】
通信部１１０は、例えばＬＡＮカードであり、ＭＡＣ（Media Access Control）アドレスが付与されている。通信部１１０は、外部との通信を行う通信インタフェースであり、ＮＡＳ３０乃至ＮＡＳ５０との間で、通信ネットワーク６０を介した通信を行う。記憶部１２０は、例えば、ＮＡＮＤフラッシュメモリによって構成され、管理サーバ１０における制御などに用いられる各種情報を記憶する。
【００２４】
制御部１００は、不適合情報生成部１６１、不適合情報記憶処理部１６２、情報収集部１６３、不適合判定部１６４を含んで構成される。
【００２５】
不適合情報生成部１６１は、フェイルオーバシステムの構成として不適合であると定められた２つのＮＡＳの組み合わせを識別可能な情報からなる不適合情報を生成する。具体的には、不適合情報生成部１６１は、作業者による図示しない操作部の操作に応じて、不適合情報を生成する。
【００２６】
不適合情報は、メイン機のＮＡＳのプロダクトＩＤ（メイン機プロダクトＩＤ）と、メイン機のＮＡＳに対するバックアップ機となった場合に、当該メイン機のＮＡＳとの組み合わせがフェイルオーバの構成として不適合となるＮＡＳのプロダクトＩＤ（不適合バックアップ機プロダクトＩＤ）とが対応付けられて構成される。プロダクトＩＤは、型式番号等の同種のＮＡＳに対して付与される識別情報である。
【００２７】
図３は、不適合情報の一例を示す図である。図３に示す不適合情報は、１つのメイン機のＮＡＳのバックアップ機となった場合に、当該メイン機のＮＡＳとの組み合わせがフェイルオーバの構成として不適合となるＮＡＳが複数存在する場合の例である。図３では、メイン機プロダクトＩＤと複数の不適合バックアップ機プロダクトＩＤとが対応付けられている。
【００２８】
不適合情報記憶処理部１６２は、不適合情報生成部１６１により生成された不適合情報を記憶部１２０に記憶させる処理を行う。この際、不適合情報記憶処理部１６２は、記憶させようとする不適合情報内のメイン機プロダクトＩＤと、すでに記憶部１２０に記憶されている不適合情報内のメイン機プロダクトＩＤとが一致する場合には、記憶させようとする不適合情報内の不適合バックアップ機プロダクトＩＤを、すでに記憶部１２０に記憶されており、且つ、記憶させようとする不適合情報内のメイン機プロダクトＩＤと同一のメイン機プロダクトＩＤを含んだ不適合情報に、追加する処理を行う。
【００２９】
また、情報収集部１６３は、ＮＡＳ３０乃至ＮＡＳ５０から送信される不適合情報を、通信ネットワーク６０及び通信部１１０を介して受信する。
【００３０】
不適合情報記憶処理部１６２は、情報収集部１６３によって不適合情報が受信された場合、当該不適合情報を、記憶部１２０に記憶させる処理を行う。上述と同様、不適合情報記憶処理部１６２は、記憶させようとする不適合情報内のメイン機プロダクトＩＤと、すでに記憶部１２０に記憶されている不適合情報内のメイン機プロダクトＩＤとが一致する場合には、記憶させようとする不適合情報内の不適合バックアップ機プロダクトＩＤを、すでに記憶部１２０に記憶されており、且つ、記憶させようとする不適合情報内のメイン機プロダクトＩＤと同一のメイン機プロダクトＩＤを含んだ不適合情報に、追加する処理を行う。
【００３１】
また、情報収集部１６３は、ＮＡＳ３０乃至ＮＡＳ５０から送信されるテスト結果情報を、通信ネットワーク６０及び通信部１１０を介して受信する。テスト結果情報は、ＮＡＳ３０乃至ＮＡＳ５０の何れかが、他のＮＡＳとの間で、フェイルオーバシステムを構成すると仮定した場合における、当該フェイルオーバの構成の適合性についてのベンチマークテストの結果を示す情報である。
【００３２】
テスト結果情報は、ＮＡＳ３０乃至ＮＡＳ５０の何れかがメイン機となり、他のＮＡＳがバックアップ機となるベンチマークテストが行われた場合には、ＮＡＳ３０乃至ＮＡＳ５０の何れかのプロダクトＩＤをメイン機プロダクトＩＤとして含み、他のＮＡＳのプロダクトＩＤをバックアップ機プロダクトＩＤとして含む。また、テスト結果情報は、ＮＡＳ３０乃至ＮＡＳ５０の何れかがバックアップ機となり、他のＮＡＳがメイン機となるベンチマークテストが行われた場合には、ＮＡＳ３０乃至ＮＡＳ５０の何れかのプロダクトＩＤをバックアップ機プロダクトＩＤとして含み、他のＮＡＳのプロダクトＩＤをメイン機プロダクトＩＤとして含む。
【００３３】
不適合判定部１６４は、情報収集部１６３によってテスト結果情報が受信された場合、当該テスト結果情報に基づいて、ＮＡＳ３０乃至ＮＡＳ５０の何れかと、他のＮＡＳとの間でフェイルオーバシステムを構成した場合の適合の度合を数値化する。更に、不適合判定部１６４は、適合の度合の数値があらかじめ定められた閾値以上である場合には、ＮＡＳ３０乃至ＮＡＳ５０の何れかと、他のＮＡＳとの組み合わせがフェイルオーバシステムの構成として適合であると判断する。一方、不適合判定部１６４は、適合の度合の数値があらかじめ定められた閾値未満である場合には、ＮＡＳ３０乃至ＮＡＳ５０の何れかと、他のＮＡＳとの組み合わせがフェイルオーバシステムの構成として不適合であると判断する。
【００３４】
不適合情報生成部１６１は、フェイルオーバシステムの構成として不適合であると判断された組み合わせである、ＮＡＳ３０乃至ＮＡＳ５０の何れかのプロダクトＩＤと、他のＮＡＳのプロダクトＩＤとの一方をメイン機プロダクトＩＤとして含み、他方を不適合バックアップ機プロダクトＩＤとして含んだ不適合情報を生成する。
【００３５】
不適合情報記憶処理部１６２は、不適合情報生成部１６１によって不適合情報が生成された場合、当該不適合情報を、記憶部１２０に記憶させる処理を行う。上述と同様、不適合情報記憶処理部１６２は、記憶させようとする不適合情報内のメイン機プロダクトＩＤと、すでに記憶部１２０に記憶されている不適合情報内のメイン機プロダクトＩＤとが一致する場合には、記憶させようとする不適合情報内の不適合バックアップ機プロダクトＩＤを、すでに記憶部１２０に記憶されており、且つ、記憶させようとする不適合情報内のメイン機プロダクトＩＤと同一のメイン機プロダクトＩＤを含んだ不適合情報に、追加する処理を行う。
【００３６】
（３）ＮＡＳの構成
図４は、ＮＡＳ３０乃至ＮＡＳ５０の構成図である。図４に示すＮＡＳ３０乃至ＮＡＳ５０は、制御部３００、通信部３１０、記憶部３２０、記憶装置接続部３４１、記憶装置接続部３４２を含んで構成される。
【００３７】
制御部３００は、例えばＣＰＵによって構成され、ＮＡＳが具備する各種機能を制御する。
【００３８】
通信部３１０は、例えばＬＡＮカードであり、ＭＡＣアドレスが付与されている。通信部３１０は、外部との通信を行う通信インタフェースであり、管理サーバ１０や他のＮＡＳとの間で、通信ネットワーク６０を介した通信を行う。
【００３９】
記憶部３２０は、例えば、ＮＡＮＤフラッシュメモリによって構成され、ＮＡＳ３０乃至ＮＡＳ５０における制御などに用いられる各種情報を記憶する。具体的には、記憶部３２０は、フェイルオーバ構成に必要な各種設定情報を記憶する。記憶装置接続部３４１は、ハードディスク３５１を接続する。記憶装置接続部３４２は、ハードディスク３５２を接続する。ＮＡＳ３０乃至ＮＡＳ５０の何れかと、他のＮＡＳとの間でフェイルオーバが構成される場合、ハードディスク３５１及びハードディスク３５２は、ＲＡＩＤ構成を構築し、ユーザデータ等のメイン機とバックアップ機とで同期すべきデータが記憶される。
【００４０】
制御部３００は、不適合情報送信処理部３６１、ベンチマークテスト処理部３６２、テスト結果情報送信処理部３６３を含んで構成される。
【００４１】
不適合情報送信処理部３６１は、フェイルオーバシステムの構成として不適合であると定められた２つのＮＡＳの組み合わせを識別可能な情報からなる不適合情報を管理サーバ１０へ送信する処理を行う。具体的には、制御部３００は、作業者による図示しない操作部の操作に応じて、不適合情報を生成する。不適合情報送信処理部３６１は、生成された不適合情報を、通信部３１０及び通信ネットワーク６０を介して、管理サーバ１０へ送信する。
【００４２】
ベンチマークテスト処理部３６２は、自身を含むＮＡＳと、他のＮＡＳとの一方がメイン機となり、他方がバックアップ機となるフェイルオーバシステムを構成すると仮定した場合における、当該フェイルオーバの構成の適合性についてのベンチマークテストに関する各種の処理を行う。更に、ベンチマークテスト処理部３６２は、自身を含むＮＡＳがメイン機となり、他のＮＡＳがバックアップ機となるベンチマークテストが行われた場合には、自身を含むＮＡＳのプロダクトＩＤをメイン機プロダクトＩＤとして含み、他のＮＡＳのプロダクトＩＤをバックアップ機プロダクトＩＤとして含んだテスト結果情報を生成する。一方、ベンチマークテスト処理部３６２は、自身を含むＮＡＳがバックアップ機となり、他のＮＡＳがメイン機となるベンチマークテストが行われた場合には、自身を含むＮＡＳのプロダクトＩＤをバックアップ機プロダクトＩＤとして含み、他のＮＡＳのプロダクトＩＤをメイン機プロダクトＩＤとして含んだテスト結果情報を生成する。
【００４３】
テスト結果情報送信処理部３６３は、ベンチマークテスト処理部３６２によって生成されたテスト結果情報を管理サーバ１０へ送信する処理を行う。具体的には、テスト結果情報送信処理部３６３は、テスト結果情報を、通信部３１０及び通信ネットワーク６０を介して、管理サーバ１０へ送信する。
【００４４】
（４）フェイルオーバ管理システムの動作
図５は、フェイルオーバ管理システムの動作を示すシーケンス図である。
【００４５】
ステップＳ１０１において、管理サーバ１０は、作業者の操作に応じて不適合情報を生成し、当該不適合情報を記憶する。
【００４６】
ステップＳ１０２において、ＮＡＳ３０は、作業者の操作に応じて不適合情報を生成する。ステップＳ１０３において、ＮＡＳ３０は、不適合情報を送信する。管理サーバ１０は、不適合情報を受信する。ステップＳ１０４において、管理サーバ１０は、受信した不適合情報を記憶する。
【００４７】
ステップＳ１０５において、ＮＡＳ４０及びＮＡＳ５０は、ベンチマークテストに関する処理を行う。ステップＳ１０６において、ＮＡＳ４０及びＮＡＳ５０は、テスト結果情報を送信する。管理サーバ１０は、ＮＡＳ４０及びＮＡＳ５０からのテスト結果情報を受信する。なお、ステップＳ１０５において、ＮＡＳ４０及びＮＡＳ５０の一方がメイン機となり、他方がバックアップ機となるベンチマークテストが行われる場合には、ＮＡＳ４０及びＮＡＳ５０の一方のみが、テスト結果情報を送信してもよい。
【００４８】
ステップＳ１０７において、管理サーバ１０は、受信したテスト結果情報に基づく不適合情報を生成する。ステップＳ１０８において、管理サーバ１０は、生成した不適合情報を記憶する。
【００４９】
（５）作用・効果
本実施形態のフェイルオーバ管理システムでは、管理サーバ１０は、メイン機のＮＡＳのプロダクトＩＤ（メイン機プロダクトＩＤ）と、当該メイン機のＮＡＳに対するバックアップ機となった場合に、フェイルオーバの構成として不適合な組み合わせとなるＮＡＳのプロダクトＩＤ（不適合バックアップ機プロダクトＩＤ）とが対応付けられた不適合情報を記憶する。従って、ＮＡＳの販売等において、当該ＮＡＳに対して不適合である他のＮＡＳの情報を提供すること等ができ、提供先は、フェイルオーバシステムにおけるメイン機とバックアップ機との適合性を容易に判断可能となる。
【００５０】
また、本実施形態のフェイルオーバ管理システムでは、管理サーバ１０は、通信ネットワーク６０を介してＮＡＳ３０乃至ＮＡＳ５０からの不適合情報を受信することができる。更に、管理サーバ１０は、ＮＡＳ３０乃至ＮＡＳ５０の何れかが、他のＮＡＳとの間で、フェイルオーバシステムを構成すると仮定した場合における、当該フェイルオーバの構成の適合性についてのベンチマークテストの結果を示すテスト結果情報を受信し、当該テスト結果情報に基づいて生成した不適合情報を記憶する。従って、管理サーバ１０は、豊富な不適合情報を記憶して、提供することができる。
【００５１】
（６）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００５２】
上述した実施形態では、ＮＡＳ３０乃至ＮＡＳ５０には、ハードディスクが接続されたが、接続される記憶媒体はこれに限定されない。例えば、ＳＳＤ（Solid State Drive）、フラッシュメモリ、ＳＤカード等の記憶媒体が接続されてもよい。
【００５３】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００５４】
１０…管理サーバ、３０、４０、５０…ＮＡＳ、１００、３００…制御部、１１０、３１０…通信部、１２０、３２０…記憶部、１６１…不適合情報生成部、１６２…不適合情報記憶処理部、１６３…情報収集部、１６４…不適合判定部、３４１、３４２…記憶装置接続部、３５１、３５２…ハードディスク、３６１…不適合情報送信処理部、３６２…ベンチマークテスト処理部、３６３…テスト結果情報送信処理部
【図１】
0005150699.tif 000002
【図２】
0005150699.tif 000003
【図３】
0005150699.tif 000004
【図４】
0005150699.tif 000005
【図５】
0005150699.tif 000006